(57)【要約】【課題】  表側クリップ片と裏側クリップ片の前端部を離間させて毛髪を挟む操作が容易で、又、表側クリップ片の表面部に装飾を施しやすく、さらに、表側クリップ片と裏側クリップ片の前端部により毛髪を挟んで確実に固定しうるヘアークリップを提供する。【解決手段】  長さ方向の中間部が互いに回動自在に連結された一対の表側主クリップ片と裏側クリップ片とを有すると共に、上記表側主クリップ片と上記裏側クリップ片の前端部を互いに閉合する方向へ付勢するバネ部材とを備えて、上記表側主クリップ片と裏側クリップ片との間に毛髪を挟みうるように構成されたヘアークリップであって、上記表側主クリップ片の幅方向の側方に、上記表側主クリップ片の長さ方向に沿って、上記表側主クリップ片と同一形状に形成された表側副クリップ片が並列状に配置されている。【選択図】  図１
0003130861.tif 000002
【実用新案登録請求の範囲】
【請求項１】
長さ方向の中間部が互いに回動自在に連結された一対の表側主クリップ片と裏側クリップ片とを有すると共に、上記表側主クリップ片と上記裏側クリップ片の前端部を互いに閉合する方向へ付勢するバネ部材とを備えて、上記表側主クリップ片と裏側クリップ片との間に毛髪を挟みうるように構成されたヘアークリップであって、
上記表側主クリップ片の幅方向の側方に、上記表側主クリップ片の長さ方向に沿って、上記表側主クリップ片と同一形状に形成された表側副クリップ片が並列状に配置されていることを特徴とするヘアークリップ。
【請求項２】
上記表側主クリップ片と上記表側副クリップ片は、平面形状が左右対称となるように配置されていることを特徴とする請求項１記載のヘアークリップ。
【請求項３】
上記表側主クリップ片の表面部と、上記表側副クリップ片の表面部には、両者間に架け渡されるように装飾部材が固定されていることを特徴とする請求項１又は２記載のヘアークリップ。
【請求項４】
上記表側主クリップ片と上記表側副クリップ片は、前端部が互いに密着して、後端部が互いに幅方向に離間するように配置されていることを特徴とする請求項１〜３のいずれか１項記載のヘアークリップ。
【考案の詳細な説明】
【技術分野】
【０００１】
本考案は毛髪を挟み留めするヘアークリップに係り、特に、毛髪を挟む操作が容易で、装飾を施しやすく、毛髪を挟んで確実に固定しうるヘアークリップに関する。
【背景技術】
【０００２】
従来、長さ方向の中間部が互いに回動自在に連結された表側クリップ片と裏側クリップ片とを有すると共に、上記表側クリップ片と上記裏側クリップ片の前端部を互いに閉合する方向へ付勢するバネ部材とを備えて、上記表側クリップ片と裏側クリップ片との間に結束した毛髪を挟みうるように構成されたヘアークリップが存在する。
【０００３】
上記ヘアークリップにより毛髪を挟み留めする場合は、上記表側クリップ片と上記裏側クリップ片の後端部を指で摘んで閉合させることにより、上記表側クリップ片と裏側クリップ片の前端部を互いに離間させて、その間に毛髪を挟むという操作を必要とする。
【０００４】
しかしながら、上記表側クリップ片は、指で摘む後端部位の幅寸法が比較的狭小であることから、指で摘みにくく、操作しにくいという不具合があった。
【０００５】
また、上記表側クリップ片の表面部には、一般的に装飾物が固定されることが多いが、上記のように上記表側クリップ片の幅が狭いことから、装飾物を固定しにくく、特に幅広の装飾物を固定することは困難であった。
【０００６】
また、上記表側クリップ片と上記裏側クリップ片の前端部により毛髪を挟む場合も、上記のように、上記表側クリップ片の前端部位の幅が狭いことから、毛髪を確実に挟んで固定することが困難であった。
【０００７】
本出願人は上記不具合を解消しうるヘアークリップについて先行技術を調査したが、関連する先行技術文献を見出すことはできなかった。
【考案の開示】
【考案が解決しようとする課題】
【０００８】
そこで本考案の課題は、表側クリップ片と裏側クリップ片の前端部を離間させて毛髪を挟む操作が容易で、又、表側クリップ片の表面部に装飾を施しやすく、さらに、表側クリップ片と裏側クリップ片の前端部により毛髪を挟んで確実に固定しうるヘアークリップを提供することにある。
【課題を解決するための手段】
【０００９】
上記課題を解決するために、本考案に係るヘアークリップは、長さ方向の中間部が互いに回動自在に連結された一対の表側主クリップ片と裏側クリップ片とを有すると共に、上記表側主クリップ片と上記裏側クリップ片の前端部を互いに閉合する方向へ付勢するバネ部材とを備えて、上記表側主クリップ片と裏側クリップ片との間に毛髪を挟みうるように構成されたヘアークリップであって、上記表側主クリップ片の幅方向の側方に、上記表側主クリップ片の長さ方向に沿って、上記表側主クリップ片と同一形状に形成された表側副クリップ片が並列状に配置されていることを特徴とする。
【００１０】
すなわち、本考案に係る上記ヘアークリップにあっては、表側クリップ片がダブルになっていて、表側主クリップ片と、表側副クリップ片とを有している。また、裏側クリップ片は表側主クリップ片に対向するように配置され、裏側クリップ片と表側主クリップ片とは互いに回動可能に連結されている。上記表側副クリップ片は上記表側主クリップ片と並列状に配置されているが、両者は固定されていて、表側副クリップ片は表側主クリップ片と連動しうるように構成されている。毛髪は主に表側主クリップ片と裏側クリップ片との間に挟まれて固定されるが、上記表側副クリップ片も毛髪を補助的に挟み留めすることができる。
【００１１】
また、本考案に係る上記ヘアークリップは、上記表側主クリップ片と上記表側副クリップ片は、平面形状が左右対称となるように配置されていることを特徴とする。
【００１２】
すなわち、本考案に係る上記ヘアークリップにあっては、上記表側副クリップ片を設けることによりデザイン的な不統一が生じないように、上記表側主クリップ片と上記表側副クリップ片は平面形状が左右対称となるように配置されている。
【００１３】
また、本考案に係る上記ヘアークリップは、上記表側主クリップ片の表面部と、上記表側副クリップ片の表面部には、両者間に架け渡されるように装飾部材が固定された構成にすることもできる。
【００１４】
すなわち、本考案に係る上記ヘアークリップにあっては、装飾性を向上させるために装飾部材を取り付けることができるが、その場合、装飾部材は、上記表側主クリップ片の表面部のみでなく、上記表側主クリップ片の表面部と、上記表側副クリップ片の表面部の双方を使用して、両者間に架け渡すようにして取り付けることができる。
【００１５】
また、本考案に係る上記ヘアークリップは、上記表側主クリップ片と上記表側副クリップ片は、前端部が互いに密着して、後端部が互いに幅方向に離間するように配置された構成にすることもできる。
【００１６】
すなわち、本考案に係る上記ヘアークリップにあっては、上記表側主クリップ片と上記表側副クリップ片は並列状に配置して前端部を密着させることができるが、後端部は幅方向に離間して、上記表側主クリップ片と上記表側副クリップ片との間隔を拡大し、全体の幅を増大させることができる。
【考案の効果】
【００１７】
請求項１記載の本考案に係るヘアークリップは、長さ方向の中間部が互いに回動自在に連結された一対の表側主クリップ片と裏側クリップ片とを有すると共に、上記表側主クリップ片と上記裏側クリップ片の前端部を互いに閉合する方向へ付勢するバネ部材とを備えて、上記表側主クリップ片と裏側クリップ片との間に毛髪を挟みうるように構成されたヘアークリップであって、上記表側主クリップ片の幅方向の側方に、上記表側主クリップ片の長さ方向に沿って、上記表側主クリップ片と同一形状に形成された表側副クリップ片が並列状に配置されていることから、毛髪を挟む場合に、上記表側主クリップ片と表側副クリップ片とに指を触れて摘むことにより上記表側主クリップ片と上記裏側クリップ片の前端部を離間させることができるので、操作が容易である。また、前端部において上記表側主クリップ片と表側副クリップ片とが毛髪を挟むことになるので、毛髪に対する接触面積が増大して、毛髪の固定力が強化される。また、表側主クリップ片の表面部と表側副クリップ片の表面部とが並列して、装飾部材を両者に亘って設けることができるので、装飾部材の取り付けが容易になる。
【００１８】
請求項２記載の本考案に係るヘアークリップは、上記表側主クリップ片と上記表側副クリップ片は、平面形状が左右対称となるように配置されていることから、平面形状がバランスよく統一されてデザイン上の違和感がなくなる。
【００１９】
請求項３記載の本考案に係るヘアークリップは、上記表側主クリップ片の表面部と、上記表側副クリップ片の表面部には、両者間に架け渡されるように装飾部材が固定されていることから、装飾部材を固定しうる領域が拡大して、より多様で複雑な装飾を施すこともできる。
【００２０】
請求項４記載の本考案に係るヘアークリップは、上記表側主クリップ片と上記表側副クリップ片は、前端部が互いに密着して、後端部が互いに幅方向に離間するように配置されていることから、後端部の幅が拡大されて、幅広の装飾部材でも容易に固定することができる。
【考案を実施するための最良の形態】
【００２１】
以下、図面を用いて本考案の実施の形態について説明する。
本実施の形態に係るヘアークリップ１１，１１ｂ，１１ｃは、図１〜図５に示すように、長さ方向の中間部が互いに回動自在に連結された一対の表側主クリップ片１２と裏側クリップ片２０とを有すると共に、上記表側主クリップ片１２と上記裏側クリップ片１３の前端部を互いに閉合する方向へ付勢するバネ部材１９とを備えて、上記表側主クリップ片１２と裏側クリップ片１３との間に毛髪を挟みうるように構成されたヘアークリップ１１，１１ｂ，１１ｃであって、上記表側主クリップ片１２の幅方向の側方に、上記表側主クリップ片１２の長さ方向に沿って、上記表側主クリップ片１２と同一形状に形成された表側副クリップ片２０が並列状に配置されている。
また、上記表側主クリップ片１２と上記表側副クリップ片２０は、図１〜図５に示すように、平面形状が左右対称となるように配置されている
また、図４及び図５に示す実施形態では、上記表側主クリップ片１２の表面部と、上記表側副クリップ片２０の表面部には、両者間に架け渡されるように装飾部材２１，２１ｂが固定されている。
また、図５に示す実施形態では、上記表側主クリップ片１２と上記表側副クリップ片２０は、前端部が互いに密着して、後端部が互いに幅方向に離間するように配置されている。
【実施例１】
【００２２】
図１〜図３は実施例１に係るヘアークリップ１１を示したものである。
上記ヘアークリップ１１は、図１に示すように、互いに対向するように配置された一対の表側主クリップ片１２と裏側クリップ片１３とを有している。
【００２３】
上記表側主クリップ片１２は金属製で、下面部に凹部１４が形成されるように金属板が屈曲されると共に、長さ方向に沿って僅かに湾曲するように形成されている。
【００２４】
上記裏側クリップ片１３も金属製で、上面部に凹部１５が形成されるように金属板が屈曲されると共に、長さ方向に沿って上記表側主クリップ片１２よりも大きい曲率で湾曲するように形成されている。
【００２５】
図１に示すように、上記表側主クリップ片１２における長さ方向の後端寄りの中間部には、下方へ向かって側壁突出部１６が設けられると共に、上記裏側クリップ片１３にも、その長さ方向の後端寄りの中間部に、上方へ向かって上記側壁突出部１６に対し重合可能な側壁突出部１７が設けられ、上記双方の側壁突出部１６，１７はピン１８により回動可能に連結されている。
【００２６】
また、上記ピン１８にはバネ部材１９が装着され、上記バネ部材１９により上記表側主クリップ片１２と裏側クリップ片１３は前端部が互いに閉合するように付勢されている。
なお、上記裏側クリップ片１３の幅寸法は、上記表側主クリップ片１２の幅寸法より小さく設定され、前端部が互いに閉合した場合、図３に示すように、裏側クリップ片１３の前端部は表側主クリップ片１２の上記凹部１４内に収容される。
【００２７】
図１及び図２に示すように、上記表側主クリップ片１２の幅方向の側方には、上記表側主クリップ片１２の長さ方向に沿って、表側副クリップ片２０が並列状に配置されている。
上記表側主クリップ片１２と上記表側副クリップ片２０は、図２に示すように、平面形状が左右対称となるように配置され、両者は連結固定されている。
なお、上記表側副クリップ片２０は上記表側主クリップ片１２と同一素材で同一形状に形成されている。
【実施例２】
【００２８】
図４は実施例２に係るヘアークリップ１１ｂを示したものである。
実施例１の上記ヘアークリップ１１には装飾が施されていなかったが、本実施例２に係るヘアークリップ１１ｂには、装飾部材２１が取り付けられている。
【００２９】
上記装飾部材２１としては大きさの異なる多数の球状部材２２ａ〜２２ｎが用いられている。
上記球状部材２２ａ〜２２ｎは、上記表側主クリップ片１２の表面部と、上記表側副クリップ片２０の表面部に、両者間に架け渡されるように固定されている。
【００３０】
表側主クリップ片１２、表側副クリップ片２０、及び裏側クリップ片１３の構造及び機能は上記実施例１と同様であり、説明は省略する。
【実施例３】
【００３１】
図５は実施例３に係るヘアークリップ１１ｃを示したものである。
本実施例３のヘアークリップ１１ｃにも、上記実施例２の上記ヘアークリップ１１ｂと同様に装飾部材２１ｂが固定されている。
【００３２】
上記装飾部材２１ｂとしては、ハート形装飾板２３が用いられている。
上記ハート形装飾板２３は、上記表側主クリップ片１２の表面部と、上記表側副クリップ片２０の表面部に、両者間に架け渡されるように固定されている。
【００３３】
本実施例３で使用する上記ハート形装飾板２３は幅広に形成されていることから、それに合わせて、上記表側主クリップ片１２と上記表側副クリップ片２０は、前端部は互いに密着しているが、後端部は互いに幅方向に離間するように配置されている。
【００３４】
表側主クリップ片１２、表側副クリップ片２０、及び裏側クリップ片１３の構造及び機能は上記実施例１と同様であり、説明は省略する。
【００３５】
以下に、上記実施例の作用について説明する。
結束した毛髪を上記ヘアークリップ１１，１１ｂ，１１ｃで固定する場合は、上記表側主クリップ片１２の後端部と、上記裏側クリップ片１３の後端部を、指で摘んで、上記バネ部材１９に抗して閉合させることにより、上記表側主クリップ片１２の前端部と、上記裏側クリップ片１３の前端部を離間させ、その間に毛髪を挟み留めする。
その場合、上記表側主クリップ片１２の幅寸法が小さいと、指で摘みにくく、操作がしにくい。
本実施例のヘアークリップ１１，１１ｂ，１１ｃにあっては、上記表側主クリップ片１２の幅方向の側方には、上記表側主クリップ片１２の長さ方向に沿って、表側副クリップ片２０が並列状に配置されているので、指を上記表側主クリップ片１２と上記表側副クリップ片２０の双方の表面部に亘ってかけた状態で摘むことができ、操作が容易になる。
また、上記表側主クリップ片１２の前端部に加えて、上記表側副クリップ片２０の前端部も毛髪を挟むことになるので、毛髪の固定力が増大し、毛髪を確実に固定することができる。
【００３６】
また、上記表側主クリップ片１２と上記表側副クリップ片２０は、平面形状が左右対称となるように配置され、デザイン的な統一性を有するため、上記表側副クリップ片２０を設けても、違和感はない。
【００３７】
また、上記実施例２及び実施例３に係るヘアークリップ１１ｂ，１１ｃにあっては、装飾部材２１，２１ｂが取り付けられ、装飾性が高められている。この場合、上記装飾部材２１，２１ｂは、上記表側主クリップ片１２の表面部と、上記表側副クリップ片２０の表面部とに、両者間に架け渡されるように固定されているので、上記装飾部材２１，２１ｂの固定しうる領域が広く、固定しやすい。
【００３８】
また、上記実施例３に係るヘアークリップ１１ｃにあっては、図５に示すように、上記表側主クリップ片１２と上記表側副クリップ片２０は、前端部が互いに密着され、後端部は互いに幅方向に離間している。
これにより、上記ハート形装飾板２３のように幅広の装飾部材２１ｂであっても、上記表側主クリップ片１２と上記表側副クリップ片２０の後端表面部には容易に固定することができる。
【産業上の利用可能性】
【００３９】
本考案はヘアークリップに適用可能である。
【図面の簡単な説明】
【００４０】
【図１】本考案の実施例１に係るヘアークリップの斜視図である。
【図２】図１のＡ−Ａ線における断面図である。
【図３】本考案の実施例１に係るヘアークリップの平面図である。
【図４】本考案の実施例２に係るヘアークリップの斜視図である。
【図５】本考案の実施例３に係るヘアークリップの斜視図である。
【符号の説明】
【００４１】
１１  ヘアークリップ
１１ｂ  ヘアークリップ
１１ｃ  ヘアークリップ
１２  表側主クリップ片
１３  裏側クリップ片
１４  凹部
１５  凹部
１６  側壁突出部
１７  側壁突出部
１８  ピン
１９  バネ部材
２０  表側副クリップ片
２１  装飾部材
２１ｂ  装飾部材
２２ａ〜２２ｎ  球状部材
２３  ハート形装飾板
【図１】
0003130861.tif 000003
【図２】
0003130861.tif 000004
【図３】
0003130861.tif 000005
【図４】
0003130861.tif 000006
【図５】
0003130861.tif 000007